(57)【特許請求の範囲】
【請求項１】
水フィルターカートリッジを受容するように構成された圧力容器を含むように構成されたハウジングと、
それぞれ水源水入力、浄化水出力の水パイプの接続に用いられ、前記ハウジング内に配置される入口パイプ継手および出口パイプ継手と、
前記ハウジングの開放上端部に取り付けられたリングエンクロージャと、
ユーザーインターフェースと、
前記リングエンクロージャに着脱可能な蓋アセンブリと、を含む水ろ過システムであって、
前記蓋アセンブリは、
（ｉ）前記圧力容器内の所定圧力を維持するための圧力キャップとガスケット、及び
（ｉｉ）前記圧力キャップと前記圧力容器を係脱することによって前記圧力容器の圧力を維持・解除するための回転式蓋レバー、
を含むことを特徴とする水ろ過システム。
【請求項２】
更に前記ハウジングに取り付けられた回転式リアレバーを含み、閉じた時に、前記回転式リアレバーによって、前記回転式蓋レバーの開放を防止する、請求項1に記載の水ろ過システム。
【請求項３】
前記蓋アセンブリに配置された蓋アセンブリ歯と前記リングエンクロージャ外面に配置されたリングエンクロージャ歯はそれぞれ間隔をあけて配置され、前記蓋アセンブリ歯を前記リングエンクロージャ歯の間に配置した状態で前記蓋アセンブリを前記ハウジング上に下降させ、蓋アセンブリ歯がリングエンクロージャ歯と嵌合するように蓋アセンブリを回転させることによって、前記蓋アセンブリを前記リングエンクロージャにロックして正しい位置に配置させることができるように構成されている、請求項1に記載の水ろ過システム。
【請求項４】
前記蓋アセンブリは、更に前記回転式蓋レバー及び前記圧力キャップに接続される板ばねを有し、前記板ばねは、前記回転式蓋レバーが上方に回転したときに圧力キャップおよびガスケットを持ち上げ、前記回転式蓋レバーが下方に回転したときに圧力キャップおよびガスケットを下方に押すように構成されている、請求項1に記載の水ろ過システム。
【請求項５】
更にバッテリコンパートメントを備えられ、前記回転式リアレバーは閉じた時、バッテリコンパートメントが隠される、請求項2に記載の水ろ過システム。
【請求項６】
前記ユーザーインターフェースは、前記リングエンクロージャと一体のインターフェース部材の一部である、請求項1に記載の水ろ過システム。
【請求項７】
前記ユーザーインターフェースは、１つのユーザボタンおよび複数のインジケータライトを含む、請求項6に記載の水ろ過システム。
【請求項８】
前記蓋アセンブリ歯と前記リングエンクロージャ歯とは、前記蓋アセンブリを45度までだけ開けることによって、前記蓋アセンブリを前記リングエンクロージャから除去可能にするような間隔で配置されている、請求項3に記載の水ろ過システム。
【請求項９】
前記蓋アセンブリ歯は、蓋アセンブリの圧縮キャップの内面にある、請求項3に記載の水ろ過システム。
【請求項１０】
前記回転式蓋レバーは、前記圧力キャップを引き上げるように構成され、それによって圧力キャップは前記圧力容器に接続し、圧力キャップによってガスケットは圧力容器の上部と内面に近づける、請求項1に記載の水ろ過システム。
【請求項１１】
水フィルターカートリッジを受容するように構成された圧力容器を含むように構成されたハウジングと、
前記ハウジングの上端部に着脱可能に取付けられる蓋アセンブリと、
ユーザーインターフェースと、
前記ハウジング内に配置される水源水の入力継手及び浄化水の出力継手と、
前記ハウジングに取り付けられ、回転式リアレバーの一端と重なることによって、前記回転式リアレバーが開かれるまで回転式蓋レバーを開くことができないことを確保する前記回転式リアレバーとを含む水ろ過システムであって、
前記蓋アセンブリは、
（ｉ）前記圧力容器の所定圧力を維持するための板バネが設置された圧力キャップ及びガスケット、並びに、
（ｉｉ）前記圧力キャップと前記圧力容器を係脱することによって前記圧力容器の圧力を維持・解除するための前記回転式蓋レバー、
を含むことを特徴とする水ろ過システム。
【請求項１２】
前記蓋アセンブリに配置された蓋アセンブリ歯と前記ハウジングの開放上端部に設けられたリングエンクロージャの外面に配置されたリングエンクロージャ歯はそれぞれ間隔をあけて配置され、前記蓋アセンブリ歯を前記リングエンクロージャ歯の間に配置した状態で前記蓋アセンブリを前記ハウジング上に下降させ、蓋アセンブリ歯がリングエンクロージャ歯と嵌合するように蓋アセンブリを回転させることによって、前記蓋アセンブリを前記リングエンクロージャにロックして正しい位置に配置させる、請求項11に記載の水ろ過システム。
【請求項１３】
前記板バネは前記回転式蓋レバー及び前記圧力キャップに接続され、また前記板ばねは、前記回転式蓋レバーが上方に回転したときに圧力キャップおよびガスケットを持ち上げ、前記回転式蓋レバーが下方に回転したときに圧力キャップおよびガスケットを下方に押すように構成されている、請求項11に記載の水ろ過システム。
【請求項１４】
更にバッテリコンパートメントを備えられ、前記回転式リアレバーは閉じた時、バッテリコンパートメントが隠される、請求項11に記載の水ろ過システム。
【請求項１５】
前記ユーザーインターフェースは、１つのユーザボタンおよび複数のインジケータライトを含む、請求項11に記載の水ろ過システム。
【請求項１６】
前記蓋アセンブリ歯は、その圧縮キャップの内面にある、請求項12に記載の水ろ過システム。
【請求項１７】
前記回転式蓋レバーは、前記圧力キャップを引き上げるように構成され、それによって圧力キャップは前記圧力容器に接続し、圧力キャップによってガスケットは圧力容器の上部と内面に近づける、請求項11に記載の水ろ過システム。
【発明の詳細な説明】
【技術分野】
【０００１】
本発明のいくつかの実施例は、カウンタースタイルの水ろ過システムに関するものである。当システムはフィルターの追跡とWi-Fi機能を提供する同時に、ユーザーが電池とフィルターの交換を可能にするように構成される。
【背景技術】
【０００２】
水の浄化は、汚染された水から望ましくない化学物質、生物学的汚染物質、浮遊物質やガスを除去するプロセスである。水の浄化は、数十億ドルの産業である。家庭用水に用いられる水浄化システムは、いろんな形式とサイズがある。大規模な、高価なシステムがある同時に、シンプルな容器実装のシステム、蛇口に接続されたシステム、およびこの両者の間にあるすべてのものを含む。カウンター浄水機とろ過システムは、ポピュラーな製品であり、ユーザーに低コスト、高利便性を提供する一般的なソリューションである。
【０００３】
当カウンター水ろ過システムは下記の利点がある。ユーザーフレンドリーな機能だけでなく、使用データを中央場所まで送信するという高度な技術を利用して、水フィルターの使用状況を追跡し、必要に応じて無効にしたり、非ブランドまたは使用済みの水フィルターの設置に応じて水のろ過システムを遮断したりすることができる。
【発明の概要】
【０００４】
従って、本発明の一実施例は、水フィルターカートリッジを取り付けるように構成された圧力容器と、当ハウジング開放部の上端に取り付け可能なリングエンクロージャと、ユーザーインターフェースを含むインターフェースタワーと、前記のリングエンクロージャに組み立てる着脱可能な蓋アセンブリを含むハウジングである。前記の着脱可能な蓋アセンブリは、（i）前記圧力容器の所定圧力を維持するための圧力キャップ及びガスケットと、（ii）前記圧力容器から前記圧力キャップを外すことによって前記圧力容器内の圧力を解放するための回転式レバーを含まれる。一実施例では、着脱可能な蓋アセンブリとリングエンクロージャ間のロックシステムは、誤整列方式でリングエンクロージャに取り付けられ、蓋アセンブリのずれを防止する。また、当ロックシステムは、効率的なメカニズムを提供し、ユーザーが軽く蓋アセンブリを開けることだけで、それをリングエンクロージャから外すことができる。
【０００５】
別の実施例では、水ろ過システムは、その中にインストールされて水フィルターを識別するためのRFID技術が組み込まれている。前記の識別に基づいて、当システムは、自動的にシャットダウンしたり、警報を鳴らしたりすることによって、非ブランドまたは使用済み水フィルターの使用を防止することができる。
【０００６】
別の実施例では、水ろ過システムは、無線通信技術（例えば、Wi-Fi）を組み込んで、収集されたシステムデータ（例えば、水の使用量）を中央場所まで送信して分析することによって、ユーザーに運用提案などを提供する。
【０００７】
本発明の他の変形、実施例及び特徴について、以下の詳細な説明、図面及び特許請求範囲を参照してください。
【図面の簡単な説明】
【０００８】
【図１Ａ】図１Ａは、本発明の実施例に係る水ろ過システムを示す斜視図及び上面図である。
【図１Ｂ】図１Ｂは、本発明の実施例に係る水ろ過システムを示す斜視図及び上面図である。
【図１Ｃ】図１Ｃは、本発明の実施例に係る水ろ過システムを示す斜視図及び上面図である。
【図２】図２は、本発明の実施例に係る水ろ過システムを示す分解図である。
【図３】図３は、本発明の実施例に係る蓋アセンブリを示す分解図である。
【図４Ａ】図４Ａは、本発明の実施例に係る蓋アセンブリ閉鎖及び開放状態時の下面図および蓋アセンブリ除去後の上面図である。
【図４Ｂ】図４Ｂは、本発明の実施例に係る蓋アセンブリ閉鎖及び開放状態時の下面図および蓋アセンブリ除去後の上面図である。
【図４Ｃ】図４Ｃは、本発明の実施例に係る蓋アセンブリ閉鎖及び開放状態時の下面図および蓋アセンブリ除去後の上面図である。
【図５】図５は、本発明の実施例に係るハウジングアセンブリを示す分解図である。
【図６】図６は、本発明の実施例に係る圧力容器のサブアセンブリを示す分解図である。
【図７Ａ】図７Ａは、本発明の実施例に係る圧縮キャップの複数の面を示す図である。
【図７Ｂ】図７Ｂは、本発明の実施例に係る圧縮キャップの複数の面を示す図である。
【図７Ｃ】図７Ｃは、本発明の実施例に係る圧縮キャップの複数の面を示す図である。
【図８Ａ】図８Ａは、本発明の実施例に係る圧力キャップの複数の面を示す図である。
【図８Ｂ】図８Ｂは、本発明の実施例に係る圧力キャップの複数の面を示す図である。
【図８Ｃ】図８Ｃは、本発明の実施例に係る圧力キャップの複数の面を示す図である。
【図９Ａ】図９Ａは、本発明の実施例に係る上部筐体の複数の面を示す図である。
【図９Ｂ】図９Ｂは、本発明の実施例に係る上部筐体の複数の面を示す図である。
【図９Ｃ】図９Ｃは、本発明の実施例に係る上部筐体の複数の面を示す図である。
【図９Ｄ】図９Ｄは、本発明の実施例に係る上部筐体の複数の面を示す図である。
【図１０Ａ】図１０Ａは、本発明の実施例に係る蓋アセンブリ除去過程を示す図である。
【図１０Ｂ】図１０Ｂは、本発明の実施例に係る蓋アセンブリ除去過程を示す図である。
【図１０Ｃ】図１０Ｃは、本発明の実施例に係る蓋アセンブリ除去過程を示す図である。
【図１０Ｄ】図１０Ｄは、本発明の実施例に係る蓋アセンブリ除去過程を示す図である。
【図１０Ｅ】図１０Ｅは、本発明の実施例に係る蓋アセンブリ除去過程を示す図である。
【図１１】図１１は、本発明の実施例に係る電子システムのブロック図である。
【図１２】図１２は、本発明の実施例に係る水フィルターカートリッジの認証プロセスを示すフローチャートである。
【図１３】図１３は、本発明の実施例に係る水フィルターカートリッジの認証プロセスを示す第2フローチャートである。
【０００９】
[発明の詳細な説明]
本発明の実施例に従った原理の理解を促進するため、図面に示された実施例について参考を提供し、特定の言語によって説明する。しかし、これらの説明は本発明の使用範囲を限定するものではない。いかなる当業者あるいは本開示を所有する者がここで述べるいかなる本発明原理についての変更や更なる修正、および本発明原理のいかなる追加のアプリケーションは、原則的に本発明の範囲内であるとみなされる。      
【００１０】
本発明の実施例の構成要素は、木材、プラスチック、合金、複合材料、樹脂および金属を含む任意の適切な材料から製造することができ、成形、鋳造、機械加工、およびラピッドプロトタイピングを含む適切な技術を用いて製造することができる。
【００１１】
図1A-1Cは、本発明の実施例に係る水ろ過システム100を示す斜視図と上面図である。図示のように、水ろ過システム100は、蓋アセンブリ110と、ハウジングアセンブリ120と、リングエンクロージャ130と 、ユーザーインターフェース140 と、回転式蓋レバー150と、回転式リアレバー160とを含まれ、各部品の詳細は下記の通り。
【００１２】
図2は、水ろ過システム100を示す分解図であり、蓋アセンブリ110と、ハウジングアセンブリ120と 、リングエンクロージャ130と 、圧力容器135と、プリント回路基板145とを含まれる。ハウジングアセンブリ120とリングエンクロージャ130は、単一の一体型ユニットなどであってもよい。蓋アセンブリ110は、ハウジング組立体120に直接取り付けることができる。プリント回路基板145は、インターフェースタワー115内に配置され、インターフェースタワー115は前記リングエンクロージャ130 の一部であり、制御ボタン116を含む。当制御ボタンの用途として、（i）水ろ過システム100のオン・オフ、（ii）フィルターの寿命チェック、（iii）ろ過された水のガロンチェックなど。インターフェースタワー115は、光パイプ118を含む。光パイプ118のインジケータライト119-1〜119-3を通じて 、水ろ過システム100及びそのステータス/状態に関する動作情報を提供する。USBプラグ123も前記インターフェースタワー115の一部であり、必要に応じて水ろ過システム100から手動でデータをダウンロードする、あるいはデータを手動で水ろ過システム100へアップロードすることができる。水源パイプ（入口）121および浄化水パイプ（出口） 122は、ハウジングアセンブリ120に接続し、浄化を必要とする水を引き受け、浄化された水を分配する。具体的な内容は下記の通り。
【００１３】
図3は、本発明の実施例による蓋アセンブリ110を示す分解図である。蓋アセンブリ110は、本明細書に水ろ過システム100を参照して説明するが、本出願人として、蓋アセンブリ110は、水ろ過システム100に適用されることだけではなく、他の目的および用途にも可能であることを考えられる。蓋アセンブリ110は、回転式蓋レバー150と、上側筐体170と、圧縮キャップ180 、板ばね190 と、ガスケット200 と、圧力キャップ210が含まれる。回転式蓋レバー150はバレルナット151を介して上筐体170に取り付けられる。以下に詳述するように、回転式蓋レバー150の機能として、圧力キャップ210を圧力容器135から外して、圧力容器135内の圧力を維持/解放することである。圧力キャップ210は、圧縮キャップ180の下側に取り付けられる。一実施形態では、4つの圧入拡張ナット181を用いて、圧力キャップ210を圧縮キャップ180に取り付けて、圧縮キャップ180を上側筐体170に取り付ける。板ばね190は、1対のオーバーハング211を介して圧力キャップ210に固定され、そしてボルト152で板ばね190をバレルナット151に接続し、ボルト152は板ばね190とワッシャ153の中央開口部191および圧縮キャップ180の中央開口部を通って、バレルナット151に差し込まれる。図2及び図3に示すように、上方へ回転式蓋150レバーを回転される時、板バネ190は、圧力キャップ210及びガスケット200に圧力をかけ、それによって上がらせて圧力容器135から離脱する。下方へ回転式蓋150レバーを回転される時、板バネ190は、圧力キャップ210とガスケット200に圧力を与え、それによって下がらせて圧力容器135に近づける。
【００１４】
図4Aと図4Bは、それぞれ蓋アセンブリ110の閉鎖および開放時の状態を示す下面図である。蓋アセンブリ110が閉じた状態では、回転式蓋レバー150は、下側へ上側筐体170のキャビティ171内に嵌め込まれる。回転式蓋レバー150の位置は低くなると、圧力キャップ210の外壁212及びガスケット200は、圧力容器135内に挿入され、ガスケット200は、圧力容器135の上部内面に外接し、それによって、圧力容器135の密封と真空状態を保つ。圧力キャップ210はガスケット200に圧力をかけて、圧力容器135の上部内側表面に張り付けさせると、密封と真空状態になる。圧力容器135内の水の圧力によって、キャップ210に対して上向きの圧力が発生し、この圧力は密封と真空状態の形成に役立つ。この上向きの圧力によって、圧力キャップ210が上がって、ガスケット200に強制的に張り付けられ、それによって、ガスケット200と圧力容器135の上部内面が更に張り付けられる。このように、ほとんどのシステムに反して、圧力容器135内の圧力は大きければ大きいほど、密封の強度が大きくなる。回転式蓋レバー150が開位置にある時、圧力キャップ210が下がり、ガスケット200および圧力容器135の上部内面に与える圧力も減少され、それによって圧力容器135の密封と真空状態を解放する。回転式蓋レバー150は比較的高い位置にある場合、密封性が破壊される。この時、必要に応じて、リングエンクロージャ130またはハウジング120との接続を通じて蓋アセンブリ110を除去する。図4Cは、蓋アセンブリ110が除去され後の水ろ過システム100を示す上面図である。水フィルターカートリッジ300は、圧力容器135内に表示可能である。
【００１５】
図5は、ハウジング組立体120を示す分解図であり、ハウジング組立体120は筐体128と 、水源パイプ（入口） 121と 、浄化水パイプ（出口） 122と 、フロントパネル124と 、バッジ125 と、入口水パイプ継手126と、出口水パイプ継手127と回転式リアレバー160とを含まれる。回転式リアレバー160と筐体128の間は、1対のピン161を介して接続される。開いた時に、回転式リアレバー160を通じて回転式蓋レバー150を見られる。図1Cに示すように、閉じた時、回転式リアレバー160の上部164は回転式蓋レバー150の一方の端部を支えて、それによって、回転式蓋レバー150が解除されて蓋アセンブリ110が除去されることを避ける。したがって、図10A-10Eに示すように、水ろ過システム100の分解プロセスは下記の手順を含む。（i）回転式リアレバー160を取り外す（電池収納部165を露出させる）。（ii）回転式蓋レバー150を取り外す。（iii）時計回りと逆の方向に蓋アセンブリ110を回して開けて、蓋アセンブリ歯111（図4A 、図4Bおよび図7C ）をリングエンクロージャ歯131 （図10B及び10E ）から解放する。および（iv）前記蓋アセンブリ110を取り外して、水フィルターカートリッジ300を除去する。より具体的には、蓋アセンブリ歯111は、圧縮キャップ180の内面上にある。回転式リアレバー160は、水ろ過システム100のさまざまな機能に動力を供給するための色んなバッテリを収納するバッテリコンパートメント165を隠す。回転式リアレバー160の内面に位置するラッチ162及び前記リングエンクロージャ130に位置する、すなわちインターフェースタワー115内に位置するマウント163を介して、前記回転式リアレバー160を固定する。
【００１６】
蓋アセンブリ歯111とリングエンクロージャ歯131は安全な接続を提供し、ユーザーが軽く蓋アセンブリ110を移動すれば、蓋アセンブリを開けるや閉じることができる。例えば、蓋アセンブリ歯111とリングエンクロージャ歯131の間隔に応じて、ユーザーは蓋アセンブリを30度以下に開けることによって、完全に蓋アセンブリを開けるまたは閉じることができる。これは、完全に開ける（例えば 360度以上）必要となるねじ山の配置よりも遥かに効率的である。
【００１７】
構成されているように、配置された蓋アセンブリ110歯111とリングエンクロージャ歯131は、蓋アセンブリ110とリングエンクロージャ130の整列を保証する。前記蓋アセンブリ110を前記リングエンクロージャ130に配置するには、下記の手順を含む。（i）回転式蓋レバー150は開いた状態である場合、回転式蓋レバー150に近接した前記インタフェース部材115によって前記蓋アセンブリ110を位置決めする。（ii）蓋アセンブリ歯111によって前記蓋アセンブリ110をリングエンクロージャ歯131の範囲内 に下げる（蓋アセンブリ歯111とリングエンクロージャ歯131のリミットは、リングエンクロージャ130上の蓋アセンブリ110の適切な位置決め範囲内に位置する）。（iii）蓋アセンブリ歯111とリングエンクロージャ歯131は噛み合うことによって、前記蓋アセンブリ110を回転し、回転式リアレバー160によって前記回転式蓋レバー150と合わせて、前記蓋アセンブリ110を所定の位置にロックする。（iv）回転式蓋レバー150を閉じることによって、前記圧力容器135は密封と真空状態になり、および（v ）前記回転式リアレバー160を閉じて、前記回転式蓋レバー160をロックする。蓋アセンブリ歯111とリングエンクロージャ歯131の位置は、安全な接続を提供する。ユーザーは軽く蓋アセンブリ110を移動することだけで、蓋アセンブリを閉じることができる。図4（a）に示すように 、前記蓋アセンブリ110中の各組歯111の最下段歯111-1は、圧縮キャップ180の下縁部と同一平面となり、前記蓋アセンブリ歯111はリングエンクロージャ歯131内のスペースと整列される時だけに、前記蓋アセンブリ110が前記リングエンクロージャ130まで下げることを確保する。一実施形態では、歯111と131によって、蓋アセンブリ110は、片方向でリングエンクロージャ130に下げることを可能にする。
【００１８】
図6は、本発明の実施例に係る圧力容器サブアセンブリ250を示す分解図である。具体的に言えば、圧力容器サブアセンブリは、圧力容器135 と、出口継手251と 、ベース部材252と 、漏れ検出器253と 、漏れ検出器アンテナ254と 、インペラモジュールハウジング255と 、インペラー・モジュール256 と、 Oリング257と 、エルボ継手258と、および出口ガスケット259 とを含まれる。インペラー・モジュール256は浄化水を浄化水パイプ（出口） 122内に移動させるように構成されている。電子漏れ検出器253は、圧力容器135の下の水漏れの検出に用いられ、漏れたことを検出されると、検出器アンテナ254を介して受信機に漏れ信号を送信し、また、受信機は漏れランプ点灯または他の機構によって、ユーザーに警告する。一実施形態では、圧力容器135は、ステンレスで製造される。
【００１９】
図7A-7Cは、本発明の実施例による圧縮キャップ180の複数の面を示す略図であり、すなわち上面図、側面図及び断面図である。圧縮キャップ180は、蓋アセンブリ110内に位置し、板バネ190と 、ガスケット200と圧力キャップ210とを含まれる。上述のように、これらの部品は、集合的に動作することによって、圧力容器135内に密封と真空状態を作る。
【００２０】
図8A-8Cは、本発明の実施例による圧力キャップ210の複数の面を示す略図であり、すなわち上面図、側面図及び断面図である。圧力キャップ210は、1対の板ばね190のオーバーハング211を含まれる。この板ばね190は、上記のように回転式蓋レバー150の動きに応じて、圧力キャップ210を移動させる。外側リップ213は、ガスケット200にサポートを提供する。
【００２１】
図9A-9Dは、本発明の実施例に係る上部筐体170の複数の面を示す略図であり、すなわち上面図、側面図及び断面図である。上筐体170は、合わせて蓋アセンブリ110を形成する回転式蓋レバー150と、圧縮キャップ180と 、板バネ190と 、ガスケット200 と、圧力キャップ210と接続される。
【００２２】
前記の機械的な実施例は、ユーザーフレンドリーな水ろ過システムの作成を説明した。ユーザーはこれによって簡単に水フィルターカートリッジ300を交換し、確実に正しく蓋アセンブリ110を位置合わせすることができる。さらに、水ろ過システム100の電子的特徴は、以下に詳述するように、さらにユーザーの利便性を高める。
【００２３】
図11は、本発明の実施例に係る電子システムのブロック図400である。それぞれの水フィルターカートリッジ410に関連付けられたRFIDタグ405は、それぞれの水フィルターカートリッジの識別を行う。読取機（例えば、読取コイル）415は、水フィルターカートリッジのユニークな識別の読み取りに用いられる。Wi-Fiトランスミッター420を介してローカルメモリおよび/または中央メモリ内の水フィルターカートリッジ識別の信頼性を確認する。Wi-Fiトランスミッター420はWi-Fi受信機と通信するように設定され、それによって管理サーバーまたは類似のコンピュータハードウェアおよびソフトウェア・システムと通信する。いずれの場合においても、識別の識別は水フィルターカートリッジ410のユニークな識別を、記録された水フィルターカートリッジの識別および水ろ過装置の識別と比較され、正しい水フィルターカートリッジ410をその正確な水ろ過システムに取り付けたかどうかを確認することである。送信機420は、読取機415の一部であってもいい。または読取機415から分離したユニットであってもよい。一実施形態では、プリント回路基板145は、Wi-Fi送信機420およびその指示をWi-Fi受信機425に送信する情報またはデータの制御を担当する。受信データは、中央サーバー430等に格納されている。Wi-Fi受信機425は、サーバー430の一部であってもいい。またはサーバー430から分離したユニットであってもよい。
【００２４】
水ろ過システムは、水フィルターカートリッジが費やされている時を決定するための手段を含む。一実施形態では、測定タービンは、水フィルターカートリッジの状態を判断するのに十分なデータを収集する。他の手段として、設置後の使用時間、水量センサ、水質センサ等を含むことができる。水フィルターカートリッジは費やされた場合、水ろ過システムは、水フィルターカートリッジを変更することをユーザーに知らせる。一実施形態では、水ろ過システムは、水フィルターカートリッジ交換に近いことについて予告表示を与える。一実施形態では、水フィルターカートリッジが費やされた、または能力が足りなくなった場合、水ろ過システムがシャットダウンし、および/または新しい水フィルターカートリッジが装着されるまで、間欠的にアラームが鳴り続ける。いったん設置されると、本明細書に詳述するように、新しい水フィルターカートリッジについて認証を行う。一実施形態では、水ろ過システムは、水フィルターカートリッジの（i）商標名、および/または（ii ）能力不足について認証されない限り、動作させないように構成されている（例えば、シャットダウンまたは間欠的にアラームが鳴り続ける ）。
【００２５】
図12は、水フィルターカートリッジ410に関連付けられた認証プロセスを詳述するフローチャート500である。505では、水フィルターカートリッジに関連付けられた識別が読み取られ、特に水ろ過システムに関連する。一実施形態では、水ろ過システムにおけるRFIDタグ405と読取機415は、水フィルターカートリッジの識別を特定の水のろ過システムと関連付ける。水フィルターカートリッジの認証は、RFIDタグ405のフォーマットが、ローカルの記録と同じであることを必要となり、その時点で水フィルターカートリッジ410が認証されたとみなされる。510において、水フィルターカートリッジ識別及び特定の水ろ過システムの関連情報がローカルに格納される。または、必要に応じてこれらの情報を中央、遠隔地に格納することができる。515において、水ろ過システムのデータを中央ロケーションに伝送される。水ろ過システムに書き込まれたこれらのデータは、絶え間なく中央場所に送信される。個別の水ろ過システムは、同様に中央場所によってポーリングすることもできる。520において、水フィルターが費やされているかどうかが決定される。水フィルターが費やされていると判断された場合、525において、アラーム、シャットダウンやインジケータライト点灯、電子メール、テキストあるいはその他の通信方式を介して、ユーザーに知らせる。530において、使用済みの水フィルターカートリッジが除去され、新しい水フィルターカートリッジは水ろ過システム内に配置されると、水ろ過システムは、新しく交換された水フィルターカートリッジの識別をチェックする。535において、水ろ過システムは、新しく交換された水フィルターカートリッジについて認証を行う。新しい水フィルターの識別タイプが正しいかどうか、尚且つその前までローカルにまたは中央に決定された特定の水ろ過システムの中で費やされた水フィルターカートリッジの識別と一致しないことを認証する必要となる。そこで、一実施形態では、古い水フィルターカートリッジやその他のブランドの水フィルターカートリッジについては認証しない。 540において、新たな水フィルターカートリッジの識別は、特定の水ろ過システムと関連している。545において、新たな水フィルターカートリッジの識別及び特定の水ろ過システムに関連する情報を、必要に応じて中央の場所に送られ、それに応じて格納される。
【００２６】
図13は、本発明の実施例に係る水フィルターカートリッジについての第2認証プロセス詳細図600である。605において、ユーザーは水フィルターカートリッジの問題が通知される（例えば、フィルターは使用済み） 。610において 、ユーザーは新しい水フィルターカートリッジで古い水フィルターカートリッジを置換し、システムによってそのIDがチェックされる615において、新しい水フィルターカートリッジが承認されるタイプであるかどうかを決定される。そうでない場合、フローチャート600の605に戻る。新しい水フィルターカートリッジが承認されるタイプである場合、 620において、新たな水フィルターカートリッジのIDはローカルに保存される。625において、新しい水フィルターカートリッジIDの使用履歴はチェックされる。630において、新しい水フィルターカートリッジの容量はチェックされる。能力は足りない場合、フローチャート600の 605に戻る。能力は十分である場合、635において、新たな水フィルターカートリッジのIDが登録される。640においては、 そのIDおよび他のデータは中央サーバーに送信される。 645において、水ろ過システムの通常の使用が再開される。
【００２７】
プリント回路基板145とWi-Fi送信機420は、一定のパフォーマンスデータを受信機425に送信するように構成され得る。たとえば、毎時間、毎日、毎週などの水使用量、水フィルターカートリッジの推定寿命、機能性パラメータなど。このデータは分析され、ユーザーへのフィードバックや提案を提供するために使用できる。下記の内容を含む。（i）水フィルターカートリッジの推定交換時間。（ii）節水の提案。および（iii）水使用量データ。一実施形態では、水ろ過システムは、現在の水フィルターカートリッジが枯渇付近になったと判断した場合、ユーザーに自動的に新しい水フィルターカートリッジを提供することができる。特定の実施形態では、これらのユーザーがWi-Fi機能を無効にする恐れがあると想定される。
【００２８】
プリント回路基板145は、処理装置、チップ、コントローラまたは水ろ過システム100の各種電子機能を制御できるユニットなどを含む。本明細書で使用される用語「密封」と「真空」は、実質的な密封と実質的な真空（絶対的な密封及び真空の意味ではない）のことを指す。水ろ過システム100又は蓋アセンブリ100を利用するその他のシステムが適切に運営することを可能にする。
【００２９】
本発明は、いくつかの実施例を参照して詳しく説明したが、以下の特許請求範囲に記載され定義されるように、追加の変形及び変更は、本発明の範囲および精神内に存在する。
【図１Ａ】
0006527682.tif 000002
【図１Ｂ】
0006527682.tif 000003
【図１Ｃ】
0006527682.tif 000004
【図２】
0006527682.tif 000005
【図３】
0006527682.tif 000006
【図４Ａ】
0006527682.tif 000007
【図４Ｂ】
0006527682.tif 000008
【図４Ｃ】
0006527682.tif 000009
【図５】
0006527682.tif 000010
【図６】
0006527682.tif 000011
【図７Ａ】
0006527682.tif 000012
【図７Ｂ】
0006527682.tif 000013
【図７Ｃ】
0006527682.tif 000014
【図８Ａ】
0006527682.tif 000015
【図８Ｂ】
0006527682.tif 000016
【図８Ｃ】
0006527682.tif 000017
【図９Ａ】
0006527682.tif 000018
【図９Ｂ】
0006527682.tif 000019
【図９Ｃ】
0006527682.tif 000020
【図９Ｄ】
0006527682.tif 000021
【図１０Ａ】
0006527682.tif 000022
【図１０Ｂ】
0006527682.tif 000023
【図１０Ｃ】
0006527682.tif 000024
【図１０Ｄ】
0006527682.tif 000025
【図１０Ｅ】
0006527682.tif 000026
【図１１】
0006527682.tif 000027
【図１２】
0006527682.tif 000028
【図１３】
0006527682.tif 000029